(57)【特許請求の範囲】
【請求項１】
第１コネクタハウジングと、
前記第１コネクタハウジングの先端側を収容する略筒状のフード部を備えて前記第１コネクタハウジングの嵌合相手となる第２コネクタハウジングと、
前記第１コネクタハウジングに回動可能に装備されて、前記第１コネクタハウジングと前記第２コネクタハウジングとを嵌合開始位置に突き合わせた状態で回動させることで、前記コネクタハウジング相互を小さな操作力で嵌合完了位置に移動させる嵌合操作レバーと、
前記第１コネクタハウジングに設けられ、前記嵌合操作レバーの回動操作により前記コネクタハウジング相互の嵌合が正常に完了したときに前記嵌合操作レバーに係合して、前記嵌合操作レバーの嵌合解除方向への回動を阻止するロック部と、
を備えたレバー付きコネクタであって、
前記嵌合操作レバーが前記ロック部によってロックされているか否かを判別可能なロック忘れ検知機構を備え、
前記ロック忘れ検知機構が、
前記嵌合操作レバーに一体形成されて、前記嵌合操作レバーが前記ロック部により係止されたときに前記フード部の一端縁に近接する端縁近接部と、
前記コネクタハウジング相互の嵌合方向に沿って前記端縁近接部に貫通形成された凹部と、
前記フード部の前記一端縁に前記コネクタハウジング相互の嵌合方向に沿って突出して設けられて、前記嵌合操作レバーが前記ロック部により係止されたときに、前記凹部を挿通するロック確認用突起と、
で構成されることを特徴とするレバー付きコネクタ。
【請求項２】
前記端縁近接部は、前記嵌合操作レバーを回動操作する際に保持する操作部であることを特徴とする請求項１に記載のレバー付きコネクタ。
【請求項３】
前記ロック確認用突起は、前記コネクタハウジング相互が正常に嵌合完了したときに、先端が前記凹部から突出するように、突出長が設定されていることを特徴とする請求項１又は２に記載のレバー付きコネクタ。
【発明の詳細な説明】
【技術分野】
【０００１】
本発明は、コネクタハウジング相互の嵌合操作時の操作力を低減する嵌合操作レバーを備えたレバー付きコネクタに関する。
【背景技術】
【０００２】
図６及び図８は、下記特許文献１に開示されたコネクタを示している。
このコネクタ１００は、第１コネクタハウジング１１０と、この第１コネクタハウジング１１０の嵌合相手となる第２コネクタハウジング１２０と、第１コネクタハウジング１１０に着脱可能に装備されたロック用スライダ１３０と、を備えている。
【０００３】
ロック用スライダ１３０は、コネクタハウジング相互の結合状態にロックするために装備された専用部品で、第１コネクタハウジング１１０に、コネクタハウジング相互の嵌合方向（図６では、矢印Ｙ１方向）と直交する方向（図６では、矢印Ｘ１方向）にスライド可能に、第１コネクタハウジング１１０に取り付けられている。
【０００４】
ロック用スライダ１３０は、第１コネクタハウジング１１０と第２コネクタハウジング１２０との嵌合途中では、図６に示すように、基端１３０ａが、第１コネクタハウジング１１０の一方の外側に突出した状態に、第１コネクタハウジング１１０に仮固定されている。
【０００５】
そして、コネクタハウジング相互の嵌合が完了したら、図７に矢印Ｘ２で示すように、ロック用スライダ１３０を、第１コネクタハウジング１１０に押し込む。すると、ロック用スライダ１３０に装備されているロック板１３１の真直面１３１ａが、第２コネクタハウジング１２０内に装備されているロック受け部１２１の真直面１２１ａ上を摺動して、真直面１３１ａと真直面１２１ａとが密着した状態になる。これらの真直面１３１ａと真直面１２１ａとは、コネクタハウジング相互の嵌合方向に直交する垂直面で、これらの真直面１３１ａと真直面１２１ａとが密着した状態になることで、コネクタハウジング相互のロック解除方向への移動が規制されて、コネクタハウジング相互の嵌合状態がロックされた状態になる。
【０００６】
ロック用スライダ１３０が、第１コネクタハウジング１１０に完全に押し込まれた状態では、基端１３０ａの位置が、第１コネクタハウジング１１０や第２コネクタハウジング１２０の一方の外側面１１０ａ，１２０ａと面一に並ぶ。
【０００７】
この特許文献１のコネクタ１００は、第１コネクタハウジング１１０と第２コネクタハウジング１２０との嵌合が完了すると、図８に示すように、当該コネクタ１００を使用する相手機器２３０上の所定位置Ｐ１に実装される。この特許文献１のコネクタ１００は、図８に矢印Ａで示す方向への直線移動によって、相手機器２３０上の所定位置Ｐ１に実装する際、ロック用スライダ１３０によるロックが完了していないと、第１コネクタハウジング１１０の側方に突出しているロック用スライダ１３０が相手機器２３０側の部品２３１と干渉して、実装できないようにしている。
【０００８】
言い換えると、特許文献１のコネクタ１００は、相手機器２３０への実装時に、ロック用スライダ１３０が相手機器２３０上の部品２３１と干渉することで、ロック用スライダ１３０によるロック忘れが検知され、ロック忘れが見落とされることが防止される。
【０００９】
万が一、ロック忘れが見落とされてしまうと、車両の走行時に作用する振動等で、コネクタハウジングの嵌合が外れてしまう危険がある。従って、車載のコネクタにおいては、ロック忘れの検知が重大なポイントとなっている。
【先行技術文献】
【特許文献】
【００１０】
【特許文献１】特開平１０−３３４９９７号公報
【発明の概要】
【発明が解決しようとする課題】
【００１１】
ところで、近年の車両では、車載の電子機器等の増加によって、車載のワイヤハーネスなどに使用するコネクタの多極化が進み、コネクタの多極化に伴って、コネクタハウジング相互の嵌合操作を小さな操作力で可能にするレバー付きコネクタの採用が増えている。
【００１２】
そして、レバー付きコネクタの場合も、車両の走行時に作用する振動等でコネクタハウジング相互の嵌合が外れることを防止するために、ロック忘れを検知するロック忘れ検知機構を備えることが要求される。
【００１３】
しかし、前述の特許文献１のように、コネクタハウジング相互の嵌合状態のロックや、ロック忘れの検知のために、専用の独立した部品（ロック用スライダ１３０）を使用する構成では、ロック忘れ検知機構の装備が、構成部品の増加によるコストアップを招くという問題があった。
【００１４】
また、特許文献１の技術では、ロック忘れによってロック用スライダ１３０が相手機器２３０の部品２３１に干渉することで、部品の破損を招くおそれがあった。
【００１５】
そこで、本発明の目的は、上記課題を解消することに係り、構成部品の増加を招くことなく、ロック忘れ検知機構を装備することができて、安価に、ロック忘れの発生を防止することができ、更に、ロック忘れが破損の原因となる外部機材との干渉を招くおそれが無いレバー付きコネクタを提供することにある。
【課題を解決するための手段】
【００１６】
本発明の前述した目的は、下記の構成により達成される。
（１）  第１コネクタハウジングと、
前記第１コネクタハウジングの先端側を収容する略筒状のフード部を備えて前記第１コネクタハウジングの嵌合相手となる第２コネクタハウジングと、
前記第１コネクタハウジングに回動可能に装備されて、前記第１コネクタハウジングと前記第２コネクタハウジングとを嵌合開始位置に突き合わせた状態で回動させることで、前記コネクタハウジング相互を小さな操作力で嵌合完了位置に移動させる嵌合操作レバーと、
前記第１コネクタハウジングに設けられ、前記嵌合操作レバーの回動操作により前記コネクタハウジング相互の嵌合が正常に完了したときに前記嵌合操作レバーに係合して、前記嵌合操作レバーの嵌合解除方向への回動を阻止するロック部と、
を備えたレバー付きコネクタであって、
前記嵌合操作レバーが前記ロック部によってロックされているか否かを判別可能なロック忘れ検知機構を備え、
前記ロック忘れ検知機構が、
前記嵌合操作レバーに一体形成されて、前記嵌合操作レバーが前記ロック部により係止されたときに前記フード部の一端縁に近接する端縁近接部と、
前記コネクタハウジング相互の嵌合方向に沿って前記端縁近接部に貫通形成された凹部と、
前記フード部の前記一端縁に前記コネクタハウジング相互の嵌合方向に沿って突出して設けられて、前記嵌合操作レバーが前記ロック部により係止されたときに、前記凹部を挿通するロック確認用突起と、
で構成されることを特徴とするレバー付きコネクタ。
【００１７】
（２）  前記端縁近接部は、前記嵌合操作レバーを回動操作する際に保持する操作部であることを特徴とする上記（１）に記載のレバー付きコネクタ。
【００１８】
（３）  前記ロック確認用突起は、前記コネクタハウジング相互が正常に嵌合完了したときに、先端が前記凹部から突出するように、突出長が設定されていることを特徴とする上記（１）又は（２）に記載のレバー付きコネクタ。
【００１９】
上記（１）の構成によれば、嵌合操作レバーの回動操作によってコネクタハウジング相互の嵌合を完了させると、嵌合操作レバーを支持している第１コネクタハウジング上のロック部が嵌合操作レバーに係合して、嵌合操作レバーの嵌合解除方向への回動を阻止する。即ち、第１コネクタハウジング上に装備したロック部が、コネクタハウジング相互の嵌合状態をロックするロック機構として機能し、ロック機構のために、独立した専用部品が必要とならない。
【００２０】
また、上記（１）の構成によれば、コネクタハウジング相互の嵌合が完了して、嵌合操作レバーが第１コネクタハウジング上のロック部によって係止されたロック状態では、嵌合操作レバーの端縁近接部の凹部に、第２コネクタハウジングのフード部に突設されたロック確認用突起が挿通する。そのため、嵌合操作レバー上の凹部に第２コネクタハウジング上のロック確認用突起が挿通しているか否かを目視確認することで、ロックされているか否かを確実に判別することができ、ロック忘れの見落としを防止することができる。
【００２１】
そして、ロック忘れ検知機構は、既存の部品である嵌合操作レバーに一体形成された端縁近接部と、該端縁近接部に貫通形成された凹部と、第２コネクタハウジングのフード部の一端縁に突設されて嵌合操作レバーがロックされているときには前記凹部を挿通するロック確認用突起と、で構成されている。即ち、ロック忘れ検知機構は、既存の部品上に形成された部位で構成され、独立した専用部品が必要とならない。
【００２２】
即ち、上記（１）の構成によれば、コネクタハウジング相互の嵌合状態のロックや、ロック忘れの検知のために、専用の独立した部品が必要とならない。そのため、構成部品の増加を招くことなく、ロック忘れ検知機構を装備することができて、安価に、ロック忘れの発生を防止することができる。
【００２３】
また、上記（１）の構成によれば、ロック忘れ検知機構は、嵌合操作レバー上の凹部に第２コネクタハウジング上のロック確認用突起が挿通しているか否かを目視することでロック忘れを検知するものであり、ロック忘れが、破損の原因となる外部機材との干渉を招かない。従って、ロック忘れによって構成部品が破損するおそれも生じない。
【００２４】
上記（２）の構成によれば、ロック忘れ検知機構の構成要素となる嵌合操作レバーの端縁近接部は、嵌合操作レバーの回動操作の際に使用する操作部が兼用しており、ロック忘れ検知機構のための専用の部位を追加する必要がないため、嵌合操作レバーの構造が複雑化することを抑止することができる。
【００２５】
上記（３）の構成によれば、嵌合操作レバーの端縁近接部の凹部付近を触って、凹部からロック確認用突起の先端が突出しているか否かを検知することで、ロック忘れの有無を検知することができる。即ち、上記（３）の構成によれば、目視だけでなく、触感によっても、ロック忘れの有無を検知することができる。従って、当該コネクタが目視できない物陰に配索された後でも、手指でコネクタを触れるなら、触感によってロック忘れを検知することができる。
【発明の効果】
【００２６】
本発明によるレバー付きコネクタによれば、構成部品の増加を招くことなく、ロック忘れ検知機構を装備することができて、安価に、ロック忘れの発生を防止することができ、更に、ロック忘れが、破損の原因となる外部機材との干渉を招くおそれが無い。
【００２７】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２８】
【図１】図１は、本発明に係るレバー付きコネクタの一実施形態の分解斜視図である。
【図２】図２は、図１に示したコネクタハウジング相互の嵌合途中の状態の縦断面図である。
【図３】図３は、図１に示したコネクタハウジング相互の嵌合が完了し、嵌合操作レバーが第２コネクタハウジングのロック部によりロックされた状態の縦断面図である。
【図４】図４は、図３のＢ矢視図である。
【図５】図５は、図４のＣ部の拡大図である。
【図６】図６は、従来のコネクタのコネクタハウジング相互が嵌合途中の状態の平面図である。
【図７】図７は、図６に示したコネクタハウジング相互の嵌合が完了し、且つロックされた状態の平面図である。
【図８】図８は、図６に示したコネクタハウジング相互の嵌合が完了して実装される際に、ロック忘れによって突出したロック用スライダが相手機器の部品に干渉した状態の平面図である。
【発明を実施するための形態】
【００２９】
以下、本発明に係るレバー付きコネクタの好適な実施形態について、図面を参照して詳細に説明する。
【００３０】
図１〜図５は本発明に係るレバー付きコネクタの一実施形態を示したもので、図１は本発明に係るレバー付きコネクタの一実施形態の分解斜視図、図２は図１に示したコネクタハウジング相互の嵌合途中の状態の縦断面図、図３は、図１に示したコネクタハウジング相互の嵌合が完了し、嵌合操作レバーが第２コネクタハウジングのロック部によりロックされた状態の縦断面図、図４は図３のＢ矢視図、図５は図４のＣ部の拡大図である。
【００３１】
この一実施形態のレバー付きコネクタ４は、図１〜図３に示すように、複数の端子金具を収容可能な第１コネクタハウジング５と、この第１コネクタハウジング５の嵌合相手となる第２コネクタハウジング６と、第１コネクタハウジング５に回動可能に装備される嵌合操作レバー７と、コネクタハウジング相互を嵌合が完了した状態にロックするロック機構８と、ロック機構８によるロックが作動していない場合にそのロック忘れを検知するロック忘れ検知機構９と、を備えている。
【００３２】
第１コネクタハウジング５は、図１に示すように、端子金具を収容する複数の端子収容孔５１１を有したハウジング本体５１と、嵌合操作レバー７を回動自在に支持するためにハウジング本体５１の両側面５１２に突設されたレバー支持軸５２と、ロック機構８の構成要素となるロックアーム５３（図２参照）と、ハウジング本体５１の中心部に形成されたガイド孔５４（図２参照）と、を備えている。
【００３３】
レバー支持軸５２が突設される側面５１２は、図１では、ハウジング本体５１の上面と下面である。
【００３４】
ロックアーム５３は、図２及び図３に示すように、レバー支持軸５２が突設される側面５１２とは異なるハウジング本体５１の外側面５１３に一体形成されている。このロックアーム５３は、外側面５１３のハウジング前端寄りの位置から立ち上がって、コネクタハウジング相互の嵌合方向（図２の矢印Ｘ３方向）に沿って、ハウジング本体５１の後端５１ｂ側に延出したアーム本体５３１と、このアーム本体５３１の先端に装備されたロック部５３２と、を備えている。ロック部５３２は、その前端側（図２では、下端側）に、嵌合操作レバー７に装備されたロック用突起７３２を係止する係止用凹部５３３を形成している。
【００３５】
ロックアーム５３のロック部５３２は、嵌合操作レバー７の回動操作によりコネクタハウジング相互の嵌合が正常に完了したときに嵌合操作レバー７のロック用突起７３２に係合して、嵌合操作レバー７の嵌合解除方向への回動を阻止する。
【００３６】
ガイド孔５４は、図２及び図３に示すように、ハウジング本体５１の前端５１ａからコネクタハウジング相互の嵌合方向に沿って穿設された孔である。このガイド孔５４は、第１コネクタハウジング５を第２コネクタハウジング６に嵌合させた際に、第２コネクタハウジング６の中心に装備されたガイド軸６４が摺動可能に嵌合して、嵌合操作時に第１コネクタハウジング５の傾倒を防止して、第１コネクタハウジング５の移動を円滑化する。
【００３７】
第２コネクタハウジング６は、図１及び図２に示すように、第１コネクタハウジング５に収容されている端子金具と嵌合する端子金具を保持したハウジング本体６１と、このハウジング本体６１の前端側に一体形成された略筒状のフード部６２と、ハウジング本体６１の前端の中心部からコネクタハウジング相互の嵌合方向に沿って突出してハウジング本体５１のガイド孔５４に嵌合するガイド軸６４と、を備えている。
【００３８】
フード部６２は、第１コネクタハウジング５の先端側を収容する略角筒状の部位である。このフード部６２に第１コネクタハウジング５の先端側を嵌合させる際には、図２に示すように、ハウジング本体６１に突設されているガイド軸６４が、第１コネクタハウジング５のガイド孔５４に摺動可能に嵌合し、嵌合操作時において第１コネクタハウジング５が傾倒することを防止して、第１コネクタハウジング５の移動を円滑化する。
【００３９】
フード部６２の一端縁６２１には、ロック忘れ検知機構９の構成要素となる一対のロック確認用突起６６が一体形成されている。ロック確認用突起６６は、コネクタハウジング相互の嵌合方向に沿って突出して設けられた突起である。これらの一対のロック確認用突起６６は、嵌合操作レバー７がロックアーム５３のロック部５３２に係止されたときに、図４に示したように、嵌合操作レバー７に装備されている後述の凹部７６を挿通して、嵌合操作レバー７がロック済みであることを示唆する。
【００４０】
嵌合操作レバー７は、図１及び図２に示すように、第１コネクタハウジング５の両側面５１２に回動可能に取り付けられる一対のレバー本体７１と、各レバー本体７１に貫通形成されたハウジング係合孔７１１と各レバー本体７１に形成されたカム溝７１２と、一対のレバー本体７１の一端側を連結した操作部７２と、この操作部７２から延出したハウジング係止アーム７３と、第２コネクタハウジング６の一対のロック確認用突起６６の位置に対応して操作部７２に形成された一対の凹部７６と、を備えている。
【００４１】
レバー本体７１上のハウジング係合孔７１１は、第１コネクタハウジング５の側面５１２に突設されたレバー支持軸５２が嵌合する孔である。このハウジング係合孔７１１にレバー支持軸５２が嵌合することで、一対のレバー本体７１が第１コネクタハウジング５に回動自在に結合される。
【００４２】
レバー本体７１上のカム溝７１２は、コネクタハウジング相互を嵌合開始位置に突き合わせた状態にしたときに、その開放端７１２ａに、フード部６２の内側面に突設されたレバー係合軸（不図示）が嵌入する。このカム溝７１２は、一対のレバー本体７１が回動されたときに、開放端７１２ａに嵌入しているレバー係合軸を溝の内奥に引き込むことで、第１コネクタハウジング５と第２コネクタハウジング６との嵌合を深める。一対のレバー本体７１を、コネクタハウジング相互の嵌合を深める方向に最大限に回動させると、コネクタハウジング相互の嵌合が完了する。
【００４３】
操作部７２は、一対のレバー本体７１を回動操作するときに保持する部位である。この操作部７２の位置とカム溝７１２とは、レバー本体７１がレバー支持軸５２の周囲に回動するときに、レバー係合軸をカム溝７１２の内奥部に引き込む梃子として機能して、小さな操作力でコネクタハウジング相互の嵌合を達成できるように、設定されている。
【００４４】
即ち、嵌合操作レバー７は、第１コネクタハウジング５と第２コネクタハウジング６とを嵌合開始位置に突き合わせた状態で回動させることで、コネクタハウジング相互を小さな操作力で嵌合完了位置に移動させる梃子部材である。
【００４５】
本実施形態における操作部７２は、レバー本体７１の回動操作によってコネクタハウジング相互の嵌合が完了したとき、図４及び図５に示すように、一端縁６２１に近接し、後述するロック忘れ検知機構９の端縁近接部９１として、機能する。言い換えると、ロック忘れ検知機構９の端縁近接部９１は、嵌合操作レバー７を回動操作する際に保持する操作部７２が兼用している。
【００４６】
操作部７２に装備された一対の凹部７６は、ロック忘れ検知機構９の構成要素となるもので、図３に示したように、コネクタハウジング相互の嵌合が完了して、ハウジング係止アーム７３がロック部５３２に係合して、嵌合操作レバー７がロック状態になると、図５に示すように、各凹部７６にロック確認用突起６６が挿通して、嵌合操作レバー７がロック状態にあることを示唆する。
【００４７】
ハウジング係止アーム７３は、図２及び図３に示すように、操作部７２から延出するアーム本体７３１と、このアーム本体７３１に突設されたロック用突起７３２と、を備えている。ロック用突起７３２は、嵌合操作レバー７の回動操作によって第１コネクタハウジング５と第２コネクタハウジング６との嵌合が完了したときに、図３に示すように、第１コネクタハウジング５に装備されたロックアーム５３のロック部５３２と係合して、嵌合操作レバー７の嵌合解除方向（図３では、矢印Ｒ３方向）への回動が阻止され、コネクタハウジング相互の嵌合状態がロックされた状態となる。
【００４８】
ロック機構８は、コネクタハウジング相互を嵌合が完了した状態にロックする機構である。本実施形態では、ロック機構８は、嵌合操作レバー７の操作部７２に装備したハウジング係止アーム７３のロック用突起７３２と、第１コネクタハウジング５の外側面５１３に一体形成されたロックアーム５３のロック部５３２と、で構成されている。
【００４９】
前述のロック用突起７３２は既存の部品の嵌合操作レバー７に一体形成されており、ロック部５３２は第１コネクタハウジング５に一体形成されている。即ち、本実施形態のロック機構８は、既存の部品とは別体の専用の部品を含まずに、構成されている。
【００５０】
ロック忘れ検知機構９は、ロック機構８によるロックが作動していない場合（即ち、ハウジング係止アーム７３のロック用突起７３２がロックアーム５３のロック部５３２に係合していない場合）に、そのロック忘れを、外観の変化によって、検知する機構である。
【００５１】
本実施形態におけるロック忘れ検知機構９は、嵌合操作レバー７に一体形成された操作部７２上の凹部７６と、第２コネクタハウジング６のフード部６２に一体形成されたロック確認用突起６６とで、構成されており、図５に示すように、コネクタハウジング相互の嵌合が完了して、適正にコネクタハウジング相互の嵌合状態がロックされたときには、第２コネクタハウジング６の一端縁６２１に一体形成されたロック確認用突起６６が、操作部７２上の凹部７６を挿通した状態になって、ロックが適正に作動していることを示唆する。
【００５２】
また、本実施形態の場合、ロック確認用突起６６は、コネクタハウジング相互が正常に嵌合完了したときに、図５に示すように、先端が凹部７６から適宜長さＬ１だけ突出するように、突出長が設定されている。
【００５３】
嵌合操作レバー７が回動の途中で、コネクタハウジング相互が嵌合途中にあるときには、ロック確認用突起６６が凹部７６を未挿通の状態にあって、その外観から、ロック忘れが生じていることを示唆（検知）する。
【００５４】
即ち、本実施形態のロック忘れ検知機構９は、ロック確認用突起６６が凹部７６を挿通しているか否かによって、嵌合操作レバー７がロックされているか否かを判別可能である。
【００５５】
本実施形態の場合、ロック忘れ検知機構９も、構成要素であるロック確認用突起６６や凹部７６がいずれも既存の部品の一部に一体形成されており、既存の部品とは別体の専用の部品を含まずに、構成されている。
【００５６】
以上に説明した一実施形態のレバー付きコネクタ４の場合、嵌合操作レバー７の回動操作によってコネクタハウジング相互の嵌合を完了させると、図３に示すように、嵌合操作レバー７を支持している第１コネクタハウジング５上のロック部５３２が嵌合操作レバー７のロック用突起７３２に係合して、嵌合操作レバー７の嵌合解除方向への回動を阻止する。
【００５７】
即ち、第１コネクタハウジング５上に装備したロック部５３２が、コネクタハウジング相互の嵌合状態をロックするロック機構８として機能し、ロック機構８のために、独立した専用部品が必要とならない。
【００５８】
また、一実施形態のレバー付きコネクタ４の場合、コネクタハウジング相互の嵌合が完了して、嵌合操作レバー７が第１コネクタハウジング５上のロック部５３２によって係止されたロック状態では、嵌合操作レバー７の端縁近接部の凹部７６に、第２コネクタハウジング６のフード部６２に突設されたロック確認用突起６６が挿通する。そのため、嵌合操作レバー７上の凹部７６に第２コネクタハウジング６上のロック確認用突起６６が挿通しているか否かを目視確認することで、ロックされているか否かを確実に判別することができ、ロック忘れの見落としを防止することができる。
【００５９】
そして、一実施形態のレバー付きコネクタ４の場合、ロック忘れ検知機構９は、既存の部品である嵌合操作レバー７に一体形成された端縁近接部９１と、該端縁近接部９１に貫通形成された凹部７６と、第２コネクタハウジング６のフード部６２の一端縁６２１に突設されて嵌合操作レバー７がロックされているときには凹部７６を挿通するロック確認用突起６６と、で構成されている。即ち、ロック忘れ検知機構９は、既存の部品上に形成された部位で構成され、独立した専用部品が必要とならない。
【００６０】
即ち、一実施形態のレバー付きコネクタ４の場合、コネクタハウジング相互の嵌合状態のロックや、ロック忘れの検知のために、専用の独立した部品が必要とならない。そのため、構成部品の増加を招くことなく、ロック忘れ検知機構９を装備することができて、安価に、ロック忘れの発生を防止することができる。
【００６１】
また、一実施形態のレバー付きコネクタ４の場合、ロック忘れ検知機構９は、嵌合操作レバー７上の凹部７６に第２コネクタハウジング６上のロック確認用突起６６が挿通しているか否かを目視することでロック忘れを検知するものであり、ロック忘れが、破損の原因となる外部機材との干渉を招かない。従って、ロック忘れによって構成部品が破損するおそれも生じない。
【００６２】
また、一実施形態のレバー付きコネクタ４の場合、ロック忘れ検知機構９の構成要素となる嵌合操作レバー７の端縁近接部９１は、嵌合操作レバー７の回動操作の際に使用する操作部７２が兼用しており、ロック忘れ検知機構９のための専用の部位を追加する必要がないため、嵌合操作レバー７の構造が複雑化することを抑止することができる。
【００６３】
更に、一実施形態のレバー付きコネクタ４の場合、嵌合操作レバー７の端縁近接部９１の凹部７６付近を触って、凹部７６からロック確認用突起６６の先端が突出しているか否かを検知することで、ロック忘れの有無を検知することができる。即ち、一実施形態のレバー付きコネクタ４の場合、目視だけでなく、触感によっても、ロック忘れの有無を検知することができる。従って、当該コネクタが目視できない物陰に配索された後でも、手指でコネクタを触れるなら、触感によってロック忘れを検知することができる。
【００６４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６５】
ここで、上述した本発明に係るレバー付きコネクタの実施形態の特徴をそれぞれ以下［１］〜［３］に簡潔に纏めて列記する。
【００６６】
［１］  第１コネクタハウジング（５）と、
前記第１コネクタハウジング（５）の先端側を収容する略筒状のフード部（６２）を備えて前記第１コネクタハウジング（５）の嵌合相手となる第２コネクタハウジング（６）と、
前記第１コネクタハウジング（５）に回動可能に装備されて、前記第１コネクタハウジング（５）と前記第２コネクタハウジング（６）とを嵌合開始位置に突き合わせた状態で回動させることで、前記コネクタハウジング相互を小さな操作力で嵌合完了位置に移動させる嵌合操作レバー（７）と、
前記第１コネクタハウジング（５）に設けられ、前記嵌合操作レバー（７）の回動操作により前記コネクタハウジング相互の嵌合が正常に完了したときに前記嵌合操作レバー（７）に係合して、前記嵌合操作レバー（７）の嵌合解除方向への回動を阻止するロック部（５３２）と、
を備えたレバー付きコネクタ（４）であって、
前記嵌合操作レバー（７）が前記ロック部（５３２）によってロックされているか否かを判別可能なロック忘れ検知機構（９）を備え、
前記ロック忘れ検知機構（９）が、
前記嵌合操作レバー（７）に一体形成されて、前記嵌合操作レバー（７）が前記ロック部（５３２）により係止されたときに前記フード部（６２）の一端縁（６２１）に近接する端縁近接部（９１）と、
前記コネクタハウジング相互の嵌合方向に沿って前記端縁近接部（９１）に貫通形成された凹部（７６）と、
前記フード部（６２）の前記一端縁（６２１）に前記コネクタハウジング相互の嵌合方向に沿って突出して設けられて、前記嵌合操作レバー（７）が前記ロック部（５３２）により係止されたときに、前記凹部（７６）を挿通するロック確認用突起（６６）と、
で構成されることを特徴とするレバー付きコネクタ（４）。
【００６７】
［２］  前記端縁近接部（９１）は、前記嵌合操作レバー（７）を回動操作する際に保持する操作部（７２）であることを特徴とする上記［１］に記載のレバー付きコネクタ（４）。
【００６８】
［３］  前記ロック確認用突起（６６）は、前記コネクタハウジング相互が正常に嵌合完了したときに、先端が前記凹部（７６）から突出するように、突出長が設定されていることを特徴とする上記［１］又は［２］に記載のレバー付きコネクタ（４）。
【符号の説明】
【００６９】
４  レバー付きコネクタ
５  第１コネクタハウジング
６  第２コネクタハウジング
７  嵌合操作レバー
９  ロック忘れ検知機構
６２  フード部
６６  ロック確認用突起
７２  操作部（端縁近接部）
７６  凹部
９１  端縁近接部
５１２  側面
５３２  ロック部
６２１  一端縁
【図１】
0006053743.tif 000002
【図２】
0006053743.tif 000003
【図３】
0006053743.tif 000004
【図４】
0006053743.tif 000005
【図５】
0006053743.tif 000006
【図６】
0006053743.tif 000007
【図７】
0006053743.tif 000008
【図８】
0006053743.tif 000009